(57)【要約】      （修正有）【課題】短時間で、何種類ものマスカラを試し、その機能や外観を顧客に説明することが容易にできるマスカラ機能説明ツールを提供する。【解決手段】マスカラ機能説明ツール１０は、睫毛部材１３と、睫毛部材を装着するための、人の眼球又は瞼に近い曲率を有する湾曲装着部１４と、湾曲装着部に連結される、手で把持するための把持部１８とを有することを特徴とする。販売員は、マスカラ機能説明ツール１０の把持部１８を一方の手で持ち、もう一方の手で装着部１７に装着した睫毛部材１３に、マスカラを塗布しながら、マスカラの付き具合や伸び具合などの特性や機能を顧客に説明することができる。【選択図】図１
0003186379.tif 000002
【実用新案登録請求の範囲】
【請求項１】
a) 睫毛部材と、
b) 前記睫毛部材を装着するための、人の眼球又は瞼に近い曲率を有する湾曲装着部と、
c) 前記湾曲装着部に連結される、手で把持するための把持部と
を有することを特徴とするマスカラ機能説明ツール。
【請求項２】
前記睫毛部材は前記装着湾曲部に弱粘着接着剤によって取り付けられており、取り外しが可能であることを特徴とする請求項１に記載のマスカラ機能説明ツール。
【請求項３】
前記睫毛部材と前記装着湾曲部は固定されていることを特徴とする請求項１に記載のマスカラ機能説明ツール。
【請求項４】
前記睫毛部材は、睫毛の太さや長さ、本数（密度）、色が異なる複数の睫毛の状態のものが用意されていることを特徴とする請求項１〜３のいずれかに記載のマスカラ機能説明ツール。
【請求項５】
前記把持部は平坦部を有することを特徴とする請求項１〜４のいずれかに記載のマスカラ機能説明ツール。
【請求項６】
前記湾曲装着部の、前記把持部に連結していない側の端部がフック状であることを特徴とする請求項１〜５のいずれかに記載のマスカラ機能説明ツール。
【考案の詳細な説明】
【技術分野】
【０００１】
本考案は、店頭で顧客にマスカラの機能を説明するために使用するツールに関する。
【背景技術】
【０００２】
マスカラには、睫毛の長さを伸ばすことを主目的としたタイプや、ボリュームを増やすことを主目的としたタイプ、カールさせることを主目的としたタイプ、落ちにくさを主目的としたタイプなど様々なタイプのものが販売されている。販売員は、顧客の希望と顧客の睫毛の状態を考慮した上で、最も顧客の希望に沿うと思われるマスカラを提案している。
【０００３】
その際の補助ツールとして、例えば、特許文献１には、顧客の睫毛の状態を定量的に把握したうえで、より顧客の希望に沿ったマスカラを選定するための、コンピュータを使用したシステムが開示されている。このシステムでは、まず、マスカラ塗布前の顧客の睫毛の撮影画像を2値化処理して睫毛の面積と本数を求め、顧客の睫毛の状態を予め定めた基準に基づき分類する。次に、顧客の希望する仕上がりの睫毛の状態を、コンピュータに保存された睫毛サンプル画像のデータベースから検索し、このサンプル画像と顧客の睫毛の撮影画像とを合成処理して表示し、顧客の希望に沿うかを確認する。顧客の希望通りならば、この顧客希望情報と顧客の睫毛の情報（分類）に基づき、最も適したマスカラを、コンピュータに保存されたデータベースから検索・選定する。その後、選定されたマスカラを実際に顧客の睫毛に塗布し、塗布後の顧客の睫毛の状態の撮影画像を2値化処理して睫毛の面積と本数を求め、定量評価を行う。以上のようなステップを踏んで、マスカラの選定を客観的に行うことができる。
【先行技術文献】
【特許文献】
【０００４】
【特許文献１】国際公開WO2002/051285号
【考案の概要】
【考案が解決しようとする課題】
【０００５】
特許文献１のシステムでは、顧客の希望に沿う機能を有するマスカラを選択することができるが、多段階のステップを踏むため、マスカラの選定にかなりの時間がかかる。また、睫毛に1種類のマスカラを塗布した後に別のマスカラを試してみたいと顧客が思っても、そのマスカラを除去すると目の周りの化粧も落ちてしまうため、店頭で複数種類のマスカラを実際に試すことはできない。
【０００６】
本考案は上記課題を解決するために成されたものであり、本考案の目的は、短時間で、何種類ものマスカラを試し、その特性や機能を顧客に説明することが容易にできるツールを提供することである。
【課題を解決するための手段】
【０００７】
上記課題を解決するために成された本考案に係るマスカラ機能説明ツールは、
a) 睫毛部材と、
b) 前記睫毛部材を装着するための、人の眼球又は瞼に近い曲率を有する湾曲装着部と、
c) 前記湾曲装着部に連結される、手で把持するための把持部と
を有することを特徴とする。
【０００８】
本考案に係るマスカラ機能ツールは、湾曲装着部に睫毛部材を装着して、その湾曲装着部を把持部と連結して用いる。手で把持部を持ち、湾曲装着部に装着された睫毛部材に様々なマスカラを塗布することにより、顧客の睫毛に実際にマスカラを塗布することなく、それらマスカラの外観、機能等を顧客に説明し、確認してもらうことができる。
睫毛部材と湾曲装着部は固定されていてもよいし（以下、これを「固定式」という）、取り付け・取り外しが可能であってもよい（以下、これを「取替式」という）。
【０００９】
取替式の場合、睫毛部材として、睫毛の太さや長さ、本数（密度）、色等が異なる様々な種類のものを用意しておくことができる。また、湾曲装着部への装着は、弱粘着接着剤を用いてもよいし、湾曲装着部に溝を設けておき、その溝に睫毛部材の基材部分をスライドして挿入するようにしてもよい。
固定式の場合、それら異なる種類の睫毛部材を固定したマスカラ機能説明ツールを複数用意しておき、ツールごと取り替えてマスカラの機能を種々に試すという使い方をする。この場合、睫毛部材を湾曲装着部に装着する手間が省ける。
【００１０】
把持部は、指先でつまみやすいように、そして、睫毛部材の角度を確実に固定することができるように、平坦部を有することが望ましい。
【００１１】
湾曲装着部の、把持部に連結していない側の端部をフック状としてもよい。このフック部により、不使用時には、マスカラ機能説明ツールをピン等に吊しておき、睫毛部材が汚れたり変形することを防ぐことができる。
【考案の効果】
【００１２】
本考案に係るマスカラ機能説明ツールによれば、販売員は、把持部を手で持ち、湾曲装着部に装着した睫毛部材にマスカラを実際に塗布しながら、マスカラの付き具合や伸び具合などの特性や機能を顧客に説明することができる。顧客が別のマスカラの付き具合や伸び具合などの特性を試してみたいと言う時は、固定式の場合は新しいツールを用いて、取替式の場合は睫毛部材を新しいものに取り替えて、その特性や機能を顧客に説明することができるため、顧客は、短時間で複数の種類のマスカラを容易に比較検討することが可能となる。
【図面の簡単な説明】
【００１３】
【図１】本考案のマスカラ機能説明ツールの1つの実施例の平面図。
【図２】同実施例のマスカラ機能説明ツールの睫毛部材の平面図。
【図３】本考案のマスカラ機能説明ツールの別の実施例の平面図。
【考案を実施するための形態】
【００１４】
以下、図１及び２を参照しながら、本考案のマスカラ機能説明ツールの1つの実施例について説明する。
【００１５】
図１に示すように、本実施例のマスカラ機能説明ツール（以下、単に「ツール」という）１０は、装着部１７と把持部１８から成り、装着部１７には湾曲部１４が設けられている。湾曲部１４には、睫毛部材１３が装着される。
【００１６】
睫毛部材１３は、図２に示すように、湾曲した線状の基材部１２と、該基材部１２に植毛された多数本の睫毛１１から成る。睫毛１１は、人工毛髪に一般的に用いられる樹脂により作製されている。
睫毛部材１３は、睫毛１１の太さ（太い、普通、細い）、長さ（長い、普通、短い）、本数（密度）（多い、普通、少ない）、色等が異なる複数種類のものを用意しておく。ここにおける「普通」は、日本人の標準的な太さ、長さ、本数等を示す。
【００１７】
装着部１７はプラスチック製であり、その湾曲部１４は、人の眼球又は瞼と同じ曲率を有するように形成されている。湾曲部１４は、その湾曲の外側において平坦となっており、その部分に睫毛部材１３の基材部２１が固定されている（固定式）。なお、睫毛部材１３は、湾曲部１４に弱粘着性の接着剤や粘着テープ等で接着することにより取り外し可能としてもよい（取替式）が、固定式の方が、店頭での睫毛部材１３の取替にかかる手間や時間が省ける。
装着部１７の先端（把持部１８の反対側の端部）はフック状に内側に折り曲げられている。
【００１８】
把持部１８はプラスチック製の中空の棒状部材であり、一方の端部開口から装着部１７を挿入することにより、装着部１７を保持するようになっている。
【００１９】
販売員は、予め、太さ、長さ、本数（密度）、色等の異なる複数種類の睫毛部材１３を固定した装着部１７を複数用意しておき、店頭で顧客にマスカラの機能を説明する際、用意した異なる複数種類の睫毛部材１３の中から、顧客の睫毛の状態に最も合致したものが固定された装着部１７を選び、その装着部１７の直線となっている部分１５を、把持部１８の開口に挿入して、装着部１７と把持部１８とを連結して本ツール１０を組み立てる。その把持部１８を一方の手で持ち、もう一方の手で、顧客が試してみたいマスカラを睫毛部材１３の睫毛１１に塗布しながら、その機能や塗り方のポイントなどを説明する。
顧客が実際に自らの睫毛にマスカラを塗布した睫毛の状態を確認したり、自らマスカラを睫毛に塗布してみたりする場合は、鏡を用いる必要があるが、本ツール１０によれば、顧客は睫毛部材１３の睫毛１１へのマスカラのつき具合や伸び具合などの特性やマスカラを塗布後の睫毛部材１３の仕上がり具合を、鏡を用いることなく、目で直接確認することができる。
【００２０】
顧客が別のマスカラの付き具合や伸び具合などを確認したいと言う場合は、把持部１８から、マスカラが塗布された睫毛部材１３が固定された装着部１７を取り外し、先程と同じ種類の新しい睫毛部材１３が固定された別の装着部１７を把持部１８に取り付けて、その睫毛部材１３にその別のマスカラを塗布することができる。この操作は簡単に短時間で行うことがきるため、店頭で何度でも行うことができる。
なお、本ツール１０を持ってマスカラを塗布するのは販売員でなく顧客であってもよい。この場合は、そのマスカラの付き具合や伸び具合などの特性を、塗布により顧客に体感して貰うことが可能となる。いずれの場合でも、顧客は、実際にマスカラを睫毛に塗布しなくても、マスカラの外観、機能等を確認することができる。
【００２１】
本ツール１０を使い終わった時や、マスカラ以外の商品を説明する時などの本ツール１０を使用しない時には、フック部１６により、本ツール１０をピン等に吊しておくことができる。そのため、不使用時に睫毛部材１３が汚れたり変形することを防ぐことができる。
【００２２】
図３に、別の実施例のマスカラ機能説明ツール２０を示す。
本実施例のツール２０では、睫毛部材１３は、針金製の装着部２２の湾曲部１４に固定されており（固定式）、この装着部２２は、プラスチック製の把持部２１と固定され一体となっている。本ツール２０の把持部２１には、幅広の平坦部分が設けられている。そのため、本ツール２０は指先でつまみ易く、また、睫毛部材１３の位置や角度を好みの位置等に確実に固定することもできる。その他の部分は、前記実施例と同じである。
本ツール２０を店頭で使用する時は、異なる睫毛の状態の睫毛部材１３が固定されたツール２０を複数用意しておき、ツール２０ごと取り替えてマスカラの機能を種々に試すという使い方をする。この場合、上記実施例のツール１０における、把持部１８と装着部１７との取り付け・取り外しの手間が省ける。
【００２３】
上記実施例は本考案の一例であり、本考案の趣旨の範囲で適宜に変形や修正、追加が許容される。
例えば、装着部の湾曲部への睫毛部材の装着は、装着部の湾曲部に溝を設けておき、その溝に睫毛部材の基材部分をスライドして挿入するようにしてもよい。
また、睫毛部材１３の睫毛部２１の素材は、天然の素材（例えば、動物や人の毛）であってもよい。睫毛部２１の構造は、マスカラの実際のつけ具合や伸び具合などがより分かるように、人の睫毛に近づけた構成としておくことが望ましい。
【符号の説明】
【００２４】
１０、２０…マスカラ機能説明ツール
１１…睫毛部
１２…基材部
１３…睫毛部材
１４…湾曲部
１５…直線となっている部分
１６…フック部
１７、２２…装着部
１８、２１…把持部
【図１】
0003186379.tif 000003
【図２】
0003186379.tif 000004
【図３】
0003186379.tif 000005